(57)【特許請求の範囲】
【請求項１】
記録媒体と接触するための接触端子と、互いの接触により記録媒体に関連する所定の検出を行なう固定接点端子部と可動接点端子部とから成るスイッチ端子とを有する端子基材を、ハウジングにインサート成形されてなる記録媒体用コネクタであって、
前記可動接点端子部は、前記ハウジングの一側部に沿うように前記端子基材から引き出された端子片により形成され、
前記ハウジングの一側部には、前記固定接点端子部に向かう前記可動接点端子部の移動を案内するためのガイド構造が設けられ、
前記ガイド構造は、互いに対向する一対のガイド部からなり、前記可動接点端子部のガイド片が、前記一対のガイド部間の隙間に侵入可能とされていることを特徴とする記録媒体用コネクタ。
【請求項２】
前記可動接点端子部は、前記固定接点端子部から離間する方向にプリテンションがかけられるように折り曲げられて形成されることを特徴とする請求項１に記載の記録媒体用コネクタ。
【請求項３】
前記ハウジングに取り付けられ、記録媒体が挿入される挿入空間を前記ハウジングとともに形成するカバーを更に備え、該カバーは、前記可動接点端子部をそのプリテンションに抗して前記ガイド構造側に押し込むとともに前記挿入空間に対する記録媒体の挿入を案内する押圧・ガイド部を有することを特徴とする請求項２に記載の記録媒体用コネクタ。
【請求項４】
前記可動接点端子部は、前記記録媒体と当接する樹脂製の当接部を有することを特徴とする請求項１から３のいずれかに記載の記録媒体用コネクタ。
【請求項５】
前記樹脂製の当接部は前記可動接点端子部と固定接点端子部の接点部同士の接触に先立って前記固定接点端子部と当接して該固定接点端子部をそのプリテンションに抗して押し広げる突出部を有することを特徴とする請求項４に記載の記録媒体用コネクタ。
【発明の詳細な説明】
【技術分野】
【０００１】
本発明は、例えばカード状の記録媒体と電気的に接続して該記録媒体に対する情報の書き込みまたは記録媒体からの情報の読み取りを可能にする記録媒体用コネクタに関する。
【背景技術】
【０００２】
カード状の記録媒体と電気的に接続して該記録媒体に対する情報の書き込みまたは記録媒体からの情報の読み取りを可能にする記録媒体用コネクタは、一般に、記録媒体と接触するための接点端子が形成されて成る端子基材を絶縁ハウジングにインサート成形することにより構成される。
【０００３】
また、絶縁ハウジングにインサート成形される端子基材は、所定の接点端子が一体的に連設されて成るように導電性の金属板を打ち抜いて成形される。そして、そのような端子基材の接点端子は、折り曲げ加工されることにより絶縁ハウジングに対するその所定の組み込み位置に位置決めされるようになっている。
【０００４】
ところで、端子基材における接点端子部の形成形態としては、従来から様々な形態が存在するが、例えば、特許文献１では、スイッチ端子を構成する接点端子部が、絶縁ハウジングの側壁から略垂直に延びる連結片の先端に設けられている。この端子基材では、連結片の途中部分を折り返すことにより、接点端子部を絶縁ハウジングの所定位置に組み込まれ、絶縁ハウジングの所定位置に配置された他の接点端子部と共にスイッチ端子を構成するようにしている。
【先行技術文献】
【特許文献】
【０００５】
【特許文献１】特開２００６−３２４０４３号公報
【発明の概要】
【発明が解決しようとする課題】
【０００６】
しかしながら、特許文献１に開示されるものでは、固定接点端子部に向かう可動接点端子部の安定した移動を確保することはできない。
【０００７】
本発明は、かかる点に鑑みてなされたものであり、固定接点端子部に向かう可動接点端子部の安定した移動を確保することができる記録媒体用コネクタを提供することを目的とする。
【課題を解決するための手段】
【０００８】
本発明の記録媒体用コネクタは、記録媒体と接触するための接触端子と、互いの接触により記録媒体に関連する所定の検出を行なう固定接点端子部と可動接点端子部とから成るスイッチ端子とを有する端子基材を、ハウジングにインサート成形されてなる記録媒体用コネクタであって、前記可動接点端子部は、前記ハウジングの一側部に沿うように前記端子基材から引き出された端子片により形成され、前記ハウジングの一側部には、前記固定接点端子部に向かう前記可動接点端子部の移動を案内するためのガイド構造が設けられ、前記ガイド構造は、互いに対向する一対のガイド部からなり、前記可動接点端子部のガイド片が、前記一対のガイド部間の隙間に侵入可能とされていることを特徴とする。
【００１０】
なお、上記構成において、「記録媒体に関連する所定の検出」としては、例えば、記録媒体に対する情報の書き込み禁止状態の検出や、記録媒体用コネクタに対する記録媒体の挿入検出などが挙げられる。
【００１２】
この構成によれば、ガイド構造により、固定接点端子部に向かう可動接点端子部の安定した移動を確保することができる。
【００１３】
また、本発明は、上記構成の記録媒体用コネクタにおいて、前記可動接点端子部は、前記固定接点端子部から離間する方向にプリテンションがかけられるように折り曲げられて形成されることを特徴とする。
【００１４】
この構成によれば、可動接点端子部に付与されるプリテンションにより、振動時などの不測の状況下においても誤って可動接点端子部が固定接点端子部と接触する電気的な誤作動を確実に防止できる。
【００１５】
また、本発明は、上記構成の記録媒体用コネクタにおいて、前記ハウジングに取り付けられ、記録媒体が挿入される挿入空間を前記ハウジングとともに形成するカバーを更に備え、該カバーは、前記可動接点端子部をそのプリテンションに抗して前記ガイド構造側に押し込むとともに前記挿入空間に対する記録媒体の挿入を案内する押圧・ガイド部を有することを特徴とする。
【００１６】
この構成によれば、押圧・ガイド部を有するカバーをハウジングに取り付けるだけで、可動接点端子部がガイド構造による案内経路から外れないように可動接点端子部の高さ位置を規定することができる（可動接点端子部をガイド構造側に自動的に位置決めできる）とともに、コネクタの挿入空間内に対する記録媒体の安定した挿入を確保できる。
【００１７】
また、本発明は、上記構成の記録媒体用コネクタにおいて、前記可動接点端子部は、前記記録媒体と当接する樹脂製の当接部を有することを特徴とする。
【００１８】
この構成によれば、記録媒体の装着時に可動接点端子部と記録媒体とが樹脂製の当接部を介して当接するので、記録媒体の表面を傷つけることがない。
【００１９】
また、本発明は、上記構成の記録媒体用コネクタにおいて、前記樹脂製の当接部は前記可動接点端子部と固定接点端子部の接点部同士の接触に先立って前記固定接点端子部と当接して該固定接点端子部をそのプリテンションに抗して押し広げる突出部を有することを特徴とする。
【００２０】
この構成によれば、固定接点端子部のプリテンションによって、接点部同士の接触圧を高めつつ、接点部同士を衝突により損傷しないようにスムーズに接触させることができ、良好なスイッチングが得られる。
【発明の効果】
【００２１】
本発明によれば、固定接点端子部に向かう可動接点端子部の安定した移動を確保することができる記録媒体用コネクタを提供できる。
【図面の簡単な説明】
【００２２】
【図１】本発明に係る記録媒体用コネクタの実施の形態を示す図であり、記録媒体用コネクタの斜視図である。
【図２】本発明に係る記録媒体用コネクタの実施の形態を示す図であり、カバーを外した記録媒体用コネクタの斜視図である。
【図３】（ａ）は記録媒体用コネクタを構成する端子基材の単体の平面図、（ｂ）は（ａ）の端子基材を絶縁ハウジングにインサート成形する成形状態位置の平面図である。
【図４】端子基材を折り曲げ加工して絶縁ハウジングにインサート成形する製造工程を段階的に示す部分斜視図である。
【図５】（ａ）は絶縁ハウジングにカバーを取り付ける前の組み込み位置にある可動接点端子部の状態を示す要部斜視図、（ｂ）は絶縁ハウジングにカバーを取り付けた状態を示す要部斜視図である。
【図６】（ａ）は絶縁ハウジングにカバーを取り付ける前の組み込み位置にある可動接点端子部の状態を示す要部側面図、（ｂ）は絶縁ハウジングにカバーを取り付けた後の可動接点端子部の状態を示す要部側面図、（ｃ）はコネクタの挿入空間内に記録媒体が挿入された際の可動接点端子部の状態を示す要部側面図である。
【図７】本発明の実施の形態に係る記録媒体の平面図であり、（ａ）が上面図、（ｂ）が背面図である。
【発明を実施するための形態】
【００２３】
以下、本発明の実施形態について添付図面を参照して詳細に説明する。なお、以下においては、記録媒体としてＳＤ（Secure  Digital）カードが装着される記録媒体用コネクタ（以下、単にカード用コネクタと称する）に適用する場合について説明する。しかしながら、本実施形態に係るカード用コネクタの適用対象については、これに限定されるものではなく適宜変更が可能である。
【００２４】
まず、本実施形態に係るカード用コネクタについて説明する前に装着対象となるカード（記録媒体）について説明する。図７は、本発明の実施形態に係るカードの平面図であり、（ａ）が上面図、（ｂ）が背面図をそれぞれ示している。
【００２５】
図７（ａ）、（ｂ）に示されるように、カード５１は、いわゆるＳＤカードであり、上面視略矩形状に形成されている。カード５１の一の角部には、切り欠かれて約４５度に傾斜した傾斜面５２が形成されている。傾斜面５２は、カード５１の挿入方向を識別するのに用いられ、この傾斜面５２が形成されている側が挿入方向における前端側とされ、逆側が挿入方向における後端側とされる。
【００２６】
カード５１の前端側の背面には、挿入方向に延在する複数の仕切りによって溝部５３が形成されている。溝部５３には、カード用コネクタ１の複数のコンタクト端子（接触端子）１８に接触する複数のパッド５４が設けられている。カード５１の一の側面には、後述するスライド部材の係止バネに係止される凹部５５が形成されている。また、カード５１の他の側面には、カード内のメモリに対する書き込み禁止用の操作部５６が設けられている。
【００２７】
次に、図１および図２を参照して、カード用コネクタの全体構成について説明する。図１は、本発明の実施形態に係るカード用コネクタの斜視図である。図２は、本発明の実施形態に係るカバーを外したカード用コネクタの斜視図である。なお、本実施の形態に係るカード用コネクタは、プッシュプッシュ式のカード用コネクタであるが、説明の便宜上、図２の排出バネおよびスライド部材を省略している。
【００２８】
図１および図２に示されるように、本実施形態に係るカード用コネクタ１は、上面および前面が開口されたコネクタ本体２と、コネクタ本体２の上面の開口に装着されてカード５１の挿入空間（装着空間）Ｓを形成するカバー３とを備え、コネクタ本体２およびカバー３が組み合わされて挿入口４を有する箱状体をなしている。コネクタ本体２の底壁部１１の中央部分には、複数のコンタクト端子１８が設けられている。底壁部１１に設けられた各コンタクト端子１８は、底壁部１１の中央部分から奥壁部１２側に向かって延在している。
【００２９】
コネクタ本体２の一の側壁部１３には、カード５１の書き込み禁止状態を検出するスイッチ端子（スイッチ部）２１が設けられている。スイッチ端子２１は、上下に弾発的に揺動可能な可動接点端子部２１ａと、可動接点端子部２１ａと対向して配置される固定接点端子部２１ｂ（図５および図６参照）とから成り、可動接点端子部２１ａは、下方に設けられた固定接点端子部２１ｂに離接可能に支持されて、固定接点端子部２１ｂに対して離間方向に付勢されている（後述するようにプリテンションがかけられている）。また、可動接点端子部２１ａの先端には、カード５１に当接される樹脂製の当接部９０が設けられている。この当接部９０は、カード５１の操作部５６の設定位置に応じてカード５１に当接される。そして、可動接点端子部２１ａは、前記付勢力（プリテンション）に抗して押し込まれると、固定接点端子部２１ｂに接触され、カード５１の書き込み禁止状態を検出する。
【００３０】
コネクタ本体２の一の側壁部１３に対向する他の側壁部１４は、前端側のストッパ１６を残して切り欠かれている。コネクタ本体２には、この切欠き部分に沿って挿入方向及び排出方向にスライド可能なスライド部材（図示せず）と、該スライド部材のスライドに伴って伸縮するコイル状の排出バネ（図示せず）とが配置されている。前記排出バネは、一端が奥壁部１２に当接され、他端がスライド前記部材に当接されており、スライド部材を排出方向に付勢している。そして、前記スライド部材は、前記排出バネに付勢された状態で挿入方向及び排出方向にスライド可能に構成されている。
【００３１】
なお、前記スライド部材には、スライド方向に延在する金属性の係止バネが設けられている。この係止バネは、板バネであり、前記スライド部材の後側部分に片持ちで保持されている。前記係止バネの自由端側には、カード５１の凹部５５を係止する係止突起が形成されている。この係止突起とカード５１の凹部５５との係止により、前記スライド部材とカード５１とが一体に移動される。
【００３２】
図３は、導電性の金属板を打ち抜いて形成される端子基材（フープ材）４０の要部を示す平面図であり、図示部分から１個のカード用コネクタ１に用いられる各端子が形成される。端子基材４０は、図示する左右に所定形状に打ち抜かれた端子部が連続し、多数のカード用コネクタ１に用いられる各端子が連続して折り曲げ加工される。そして、端子基材４０を絶縁ハウジング２Ａにインサート成形することによりコネクタ本体２が形成される。
【００３３】
特に本実施形態において、端子基材４０は、図３に示されるように、カード５１と接触するための前述したコンタクト端子（接触端子）１８と、互いに接触することによりカード５１に関連する所定の検出、すなわち、カード５１の書き込み禁止状態の検出を行なうようになっている固定接点端子部２１ｂと可動接点端子部２１ａとから成るスイッチ端子２１とを有する。この場合、可動接点端子部２１ａは、折り曲げ加工によって絶縁ハウジング２Ａの一側である側壁部１３の所定の組み込み位置（図５の（ａ）に示される位置）に位置決めされるように、折り曲げ加工前の状態では、絶縁ハウジング２Ａに対する端子基材４０の成形位置（図３の（ｂ）の位置）において、端子基材４０から絶縁ハウジング２Ａの側壁部１３にほぼ沿って斜めに片持ち梁状に延在している。すなわち、可動接点端子部２１ａは、絶縁ハウジング２Ａの側壁部１３に沿うように端子基材４０から引き出された端子片により形成されている。
【００３４】
また、本実施形態において、絶縁ハウジング２Ａの側壁部１３には、固定接点端子部２１ｂへと向かう可動接点端子部２１ａの移動を案内するためのガイド構造が設けられている。このガイド構造は、本実施形態の場合、互いに対向する突起状の一対のガイド部５０ａ，５０ｂと、ガイド部５０ａ，５０ｂと挿入方向において離間したガイド部５０ｃとから成る。ガイド部５０ａ，５０ｂは、可動接点端子部２１ａのガイド片９２をガイド可能な隙間を空けて対向配置されており、ガイド部５０ｃは、当接部９０に形成された凹部９４（図４（ｄ）参照）に収まるように形成されている。このように、ガイド部材５０ａ，５０ｂ，５０ｃで可動接点端子部２１ａの移動を案内するようになっている。そして、本実施形態では、可動接点端子部２１ａが、固定接点端子部２１ｂから離間する方向にプリテンションがかけられるようにガイド部５０ａ，５０ｂ，５０ｃの上方の組み込み位置（固定接点端子部２１ｂと対向する図５の（ａ）の位置）へと折り曲げられるべく所定の屈曲形状に形成されている。
【００３５】
図４には、端子基材４０の各接点端子部を折り曲げ加工して絶縁ハウジング２Ａにインサート成形する製造工程が段階的に示されている。この製造工程では、最初に、図４の（ａ）に示されるように前述した構造形態の端子基材４０が用意され、可動接点端子部２１ａおよび固定接点端子部２１ｂに対して第１段階の折り曲げ加工が施される。具体的には、可動接点端子部２１ａおよび固定接点端子部２１ｂの先端部（接触端部）が下方に曲げ起こされる（図４の（ｂ）参照）。無論、他の接点端子部の曲げ加工も施されるが、以下では、スイッチ端子２１についてのみ説明する。
【００３６】
続いて、図４の（ｃ）に示されるように、端子基材４０を絶縁ハウジング２Ａとのインサート成形位置に配置した状態で（これは、例えば、絶縁ハウジング２Ａを成型する金型内に端子基材４０を収容することにより行なわれる）、固定接点端子部２１ｂ全体が略９０°曲げ起こされる第２段階の折り曲げ加工が施される。このとき、インサート成形により端子基材４０が絶縁ハウジング２Ａにインサートされ、可動接点端子部２１ａの先端部にカード５１に当接する当接部９０が横向きに形成される。
【００３７】
次に、図４の（ｄ）に示されるように、折り曲げ位置Ａから先端部にかけて可動接点端子部２１ａが略９０°曲げ倒される第３段階の曲げ加工が施される。このとき、横向きの当接部９０が上下逆向きの縦向き姿勢となる。次に、図４の（ｅ）に示されるように、折り曲げ位置Ｂから先端部にかけて可動接点端子部２１ａが僅かに下方に折り曲げられる第４段階の折り曲げ加工が施される。このとき、可動接点端子部２１ａにプリテンション用の傾斜が形成される。
【００３８】
次に、図４の（ｆ）に示されるように、折り曲げ位置Ｃ，Ｄにおいて可動接点端子部２１ａが２段階に折り曲げられる第５段階の折り曲げ加工が施される。このように、可動接点端子部２１ａがガイド部５０ａ，５０ｂ，５０ｃの上方の組み込み位置へと反転されつつ折り返されることにより固定接点端子部２１ｂから離間する方向にプリテンションがかけられる。その後、各接点端子部を端子基材４０から切断し、絶縁ハウジング２Ａに各接点端子部が一体に取り付けられた図４の（ｇ）の完成品（コネクタ本体２）が得られる。
【００３９】
その後、プリテンションがかけられた組み込み位置（図５の（ａ）参照）にある可動接点端子部２１ａの上側からカバー３をコネクタ本体２に対して取り付けることにより、図１に示されるカード用コネクタ１が得られるが、この場合に、本実施形態の更なる特徴的構成が効果的に作用する。すなわち、本実施形態において、カバー３は、前記組み込み位置にある可動接点端子部２１ａをそのプリテンションに抗してガイド部５０ａ，５０ｂ，５０ｃ側に押し込むとともに挿入空間Ｓに対するカード５１の挿入を案内する押圧およびガイド部（以下、押圧・ガイド部）を有する。
【００４０】
本実施形態において、この押圧・ガイド部は、図５の（ｂ）に明確に示されるように、収容空間Ｓ側にカバー３の一部を切り起こして成る切片３０として形成される。この切片３０は、側壁部１３から内側に引き込まれて位置されることで、下端面により可動接点端子部２１ａを押圧するとともに、内面により挿入空間Ｓに対するカード５１の挿入を案内するようになっている。また、本実施形態では、ガイド部５０ａにカバー３のフック３ａと係合する係合部５８が設けられており、その係合により、コネクタ本体２に対するカバー３の取り付け状態が保持され切片３０の高さが所定の高さに維持されるようになっている。
【００４１】
このように、スイッチ端子２１の可動接点端子部２１ａは、折り曲げ加工により図６の（ａ）に示されるようなプリテンションを伴う組み込み位置に位置決めされる。その後、コネクタ本体２に対してカバー３が取り付けられることにより、図６の（ｂ）に示されるように切片３０の下端面によって当接部９０から一体に突出形成された押圧部が下方に押し込まれる。このとき、可動接点端子部２１ａのガイド片９２の下端が対向するガイド部５０ａ，５０ｂの隙間に侵入する。また、可動接点端子部２１ａの当接部９０が、ガイド部５０ｃの上方に位置される。このように、可動接点端子部２１ａは、切片３０により当接部９０がカードの収容空間Ｓ内に突出した初期位置に規制されかつ、ガイド部５０ａ，５０ｂ，５０ｃで構成された案内経路から外れない高さ位置に規制される。
【００４２】
また、この状態では、可動接点端子部２１ａに作用するプリテンションにより、可動接点端子部２１ａが依然として固定接点端子部２１ｂと接触しないようになっている。このプリテンションは、カード用コネクタ１の振動等により可動接点端子部２１ａと固定接点端子部２１ｂとの接触を回避できる程度に設定されている。このため、カード用コネクタ１に振動等が加えられても、カード５１の誤検出が回避される。
【００４３】
このように組み立てられたカード用コネクタ１の収容空間Ｓ内へ操作部５６がＡの位置に設定されたカード５１が挿入されると、図６の（ｃ）に示されるように、カード５１の操作部５６の下面により可動接点端子部２１ａの当接部９０が押し込まれ初期位置から固定接点端子部２１ｂに近づく方向に移動する。このとき、可動接点端子部２１ａのガイド片９２がガイド部５０ａ，５０ｂ間の隙間に侵入し、当接部９０に形成された凹部９４にガイド部５０ｃが収容される。このように、可動接点端子部２１ａは、ガイド部５０ａ，５０ｂ，５０ｃにガイドされつつ、下動され、接点部が固定接点端子部２１ｂに接触することでスイッチの切替が行われ、カード５１の操作部５６がＡの位置に設定されていることが検出される。
【００４４】
なお、このスイッチ端子２１の接点部の接触動作について更に詳しく説明すると、当接部９０には可動接点部よりも固定接点端子部２１ｂ側に近づく方向に突出した突出部９３が形成されており、接点部同士の接触に先立って、この下方突出部９３が固定接点端子部２１ｂの接点部に当接するように構成されている。これにより、固定接点端子部２１ｂのプリテンションに抗してその接点部を下方突出部９３が若干外側に押し広げた状態で、可動接点端子部２１ａの接点部が当接する。このように、固定接点端子部２１ｂのプリテンションによって、接点部同士の接触圧が高めつつ、接点部同士を衝突により損傷しないようにスムーズに接触させることができ、良好なスイッチングが得られる。
【００４５】
また、操作部５６がＡの位置から離れたカード挿入口４側のＢの位置に設定されたカードが挿入された場合は、カード５１の収容空間Ｓへの装着が完了した状態では、操作部５６による当接部９０の押し込みが行われない。そのため、可動接点端子部２１ａと固定接点端子部２１ｂとが接触することがなく、スイッチの切替は行われない。
【００４６】
以上説明したように、本実施形態によれば、可動接点端子部２１ａが絶縁ハウジング２Ａの側壁部１３に沿うように端子基材４０から引き出された端子片により形成されているため、インサート成形前の展開状態では端子基材４０の寸法を小さくすることが可能になる。したがって、端子基材４０の材料歩留まりが良くなり、製造コストを低減することができる。また、端子基材４０の寸法の減少に伴って余分な空間を最小限に抑えることが可能となるため、インサート成形時のシール性にも有益である。
【００４７】
また、本実施形態によれば、絶縁ハウジング２Ａの側壁部１３に、固定接点端子部２１ｂに向かう可動接点端子部２１ａの移動を案内するためのガイド部（ガイド構造）５０ａ，５０ｂ，５０ｃが設けられているため、固定接点端子部２１ｂに向かう可動接点端子部２１ａの安定した移動を確保することができる。
【００４８】
また、本実施形態によれば、可動接点端子部２１ａが上方へのプリテンションがかけられたままガイド部５０ａ，５０ｂ間の上方の組み込み位置へと折り曲げられるようになっているため、可動接点端子部２１ａをガイド部５０ａ，５０ｂ，５０ｃと干渉させることなく折り曲げて組み込むことができる。また、可動接点端子部２１ａは、固定接点端子部２１ｂから離間する方向にプリテンションがかけられるようにガイド部５０ａ，５０ｂ間の上方の組み込み位置へと折り曲げられるべく形成されているため、振動時などの不測の状況下においても誤って可動接点端子部２１ａが固定接点端子部２１ｂと接触する電気的な誤作動を確実に防止できる。
【００４９】
更に、本実施形態において、カバー３には、組み込み位置にある可動接点端子部２１ａをそのプリテンションに抗してガイド部５０ａ，５０ｂ，５０ｃ側に押し込むとともに挿入空間Ｓに対するカード５１の挿入を案内する押圧・ガイド部３０が設けられている。このため、カバー３を絶縁ハウジング２Ａに取り付けるだけで、可動接点端子部２１ａがガイド部５０ａ，５０ｂ，５０ｃの案内経路から外れないように可動接点端子部２１ａの高さ位置を規定することができる（可動接点端子部２１ａをガイド部５０ａ，５０ｂ，５０ｃ側に自動的に位置決めできる）とともに、カード用コネクタ１の挿入空間Ｓ内に対するカード５１の安定した挿入を確保できる。
【００５０】
なお、本発明は、前述した実施形態に限定されず、その要旨を逸脱しない範囲で種々変形して実施できることは言うまでもない。例えば、上記した実施形態においては、本発明をＳＤカードに対応したカード用コネクタに適用する構成としたが、この構成に限定されるものではない。ＳＤカード以外のカードに対応可能なカード用コネクタに適用するようにしてもよい。また、前述した実施形態では、スイッチ端子２１がカード５１に対する情報の書き込み禁止状態の検出を行なっているが、スイッチ端子２１は、カード用コネクタ１に対するカード（記録媒体）５１の挿入検出などを行なってもよい。また、前述したスイッチ端子２１は初期状態で可動接点と固定接点とが離れているノーマルオープンタイプのスイッチで構成したが、これに限らない。初期状態において可動接点と固定接点が導通しており、カードの挿入によって接点が離れるノーマルクローズタイプのスイッチで構成してもよい。
【００５１】
また、前述した実施形態では、絶縁ハウジング２Ａに一体に設けられたガイド部により可動接点端子部２１ａがガイドされる構成としたが、ガイド部は、絶縁ハウジング２Ａに別体に設けられていてもよい。また、ガイド部の形状や個数は限定されない。
【００５２】
また、前述した実施形態では、可動接点端子部２１ａを形成する端子片が絶縁ハウジング２Ａの側壁部１３に沿うように斜めに延在する構成としたが、この構成に限定されない。可動接点端子部２１ａを形成する端子片は、絶縁ハウジング２Ａの側壁部１３に沿うように延在すればよく、例えば、側壁部１３に沿うようにＬ字状に延在していてもよい。
【００５３】
また、前述した実施形態では、押圧・ガイド部がカバー３の切片３０により構成されたが、カバー３に可動接点端子部２１ａを押圧する部分と、カード５１の挿入をガイドする部分とを個別に設ける構成としてもよい。
【産業上の利用可能性】
【００５４】
以上説明したように、本発明は、固定接点端子部に向かう可動接点端子部の安定した移動を確保することができるという効果を有し、特に、薄型カードに対応したカード用コネクタに有用である。
【符号の説明】
【００５５】
１  カード用コネクタ（記録媒体用コネクタ）
２  コネクタ本体
２Ａ  絶縁ハウジング（ハウジング）
３  カバー
１８  コンタクト端子（接触端子）
２１  スイッチ端子
２１ａ  可動接点端子部（端子片）
２１ｂ  固定接点端子部
３０  切片（押圧・ガイド部）
５０  ガイド部（ガイド構造）
【図１】
0005615601.tif 000002
【図２】
0005615601.tif 000003
【図３】
0005615601.tif 000004
【図４】
0005615601.tif 000005
【図５】
0005615601.tif 000006
【図６】
0005615601.tif 000007
【図７】
0005615601.tif 000008